Podtech/llm-jp-corpus-v4-ja_patent huggingface dataset:
(57)【要約】      （修正有）【課題】従来のねじ式長柄は装着に時間がかかり、また緩んできたりと不便だったので、ワンタッチで装着できるように工夫したローラーハンドルとワンタッチで装着できる長柄を提供する。【解決手段】今までの長柄のねじのところのねじをなくし、ハンドルに凹を長柄に凸をつけることによって、ワンタッチでできるようになった。【選択図】図１
0003102835.tif 000002
【実用新案登録請求の範囲】
【請求項１】
ローラーハンドルと（ねじ式以外の）ワンタッチで装着するために、接続部を（長柄の）凸と（ハンドルの）凹ではめることのできる長柄
【考案の詳細な説明】
【考案の詳細な説明】
【技術分野】
【０００１】この物品は塗装時に使うものである。壁や天井など、ローラー塗装をするとき手の届かない所や足場が使えない場所を塗装するとき、ローラーハンドルにつけたし、文字通り長柄にして塗装するものである。
【従来の技術と解決するための手段】
【０００２】これまでの長柄は、ねじ式でできており装着に時間がかかったり、時間がたつと緩んでくるといった問題があった。
【考案の効果】
【０００３】接続の時間が最小でできたり、緩んだりしてこないので作業性がアップした。
【接続構造の説明】
【０００４】
【長柄】
材質  プラスチック（長柄の長さは３０ｃｍ〜４ｍくらいまでのものがある）接続部分は直径約１．５ｃｍ、長さ８ｃｍの筒状である。先端から１．８センチの所から縦３．５ｃｍ、横１ｃｍＵ字型に切り込みをいれる。その切り込み部分に約１．２ｃｍの楕円形、高さ１．１ｃｍの凸をつける。ローラーハンドルの（ねじでいう）メス部分に、長柄の（ねじでいう）オス部分を差込、さらにハンドルの凹に、長柄の凸を合わせることによって接続する。
【図面の簡単な説明】
【図１】長柄を横から見た図
【図２】ローラーハンドルと長柄の図
【符号の説明】
１  長柄  ２  ローラーハンドル
【図１】
0003102835.tif 000003
【図２】
0003102835.tif 000004
【手続補正書】
【提出日】平成16年1月31日(2004.1.31)
【手続補正１】
【補正対象書類名】実用新案登録請求の範囲
【補正対象項目名】全文
【補正方法】変更
【補正の内容】
【実用新案登録請求の範囲】
【請求項１】
「ローラーハンドルとワンタッチで装着可能な長柄であって、接続部が凸形状をしており、ハンドルの凹形状をしている接続部にはめることのできる長柄。」
(57)【要約】      （修正有）【課題】昨今、植木鉢は従来の「植物を保持育成させる」用途に限定した機能に使用疑義が生じており、生活形態や環境演出、公共装飾上などで植木鉢の存在感が煩わしく、これを排除解決したいという潜在要請がある。品目を硬質の素材で基本製作し、外部表面に自然の植栽・風景を写真転写した偽装植木鉢を提供する。【解決手段】鉢を硬質の陶磁器の素材で基本制作し、外部表面に「植物の葉・草」に代表される、いかにも自然の植栽風景、鉢上部の植物の利基幹部であるかのような環境表現を緻密に転写転換プリントし、そこに植木鉢があるかを当面感じにくいように環境埋没させた演出を実現する。【選択図】図１
0003102840.tif 000002
【実用新案登録請求の範囲】
【請求項１】
外側周囲表面に、写真転写プリントによって自然環境の一部風景を具現表現した偽装植木鉢及びプランター
【考案の詳細な説明】
【技術分野】
【０００１】昨今、植木鉢は従来の「植物を保持育成させる」用途に限定した機能に使用疑義が生じており、生活形態や環境演出、公共装飾上などで植木鉢の存在感が煩わしく、これを排除解決したいという潜在要請がある。本考案では品目を硬質の素材で基本製作し、外部表面に自然の植栽・風景を写真転写して、植木鉢本体の存在感を滅殺する演出技法を創造した。【０００２】これにより植物関連市場には新しい観点を投じて製品の販売活性化を保進し、実社会においては都市内外の花壇演出、店舗の環境効果向上、公共施設の装飾支援などに新しい空間風景の構築を図り得る手法開発となっている。【０００３】これまで折々試みられてきたテラコッタ植木鉢、プランター表面の装飾刻文やレリーフ模様などの加味は実際にはかえって鉢の存在感を拡大する結果を招来している実状がある。
【背景技術】
【０００４】植木鉢・プランターの外側・周辺を流線・葉文様等でレリーフ装飾を行い、または切削線刻した製品は従来公知である。
【考案の開示】
【考案が解決しようとする課題】
【０００５】本考案は、植木鉢の存在感を煩わしくなく自然に減殺する目的の製品演出技法であり、室内・屋外いずれの場面、単品・複数どちらの使用状況においても、主体である植物自体に注目視点が集中するため、環境を「安らぎの雰囲気」に凝縮する効果が大である。このため植物関連市場に新しい観点を投じて販売活性化をうながすだけでなく、都市内外の花壇演出、店舗での環境効果の向上、公共建築等においても大きな環境創造の支援品目となる演出手法である。【０００６】従来の植物鉢は植物を保持し活性的に支える用途で製作されており、この品目自体の存在感はかつて疑義が生じた歴史は無かったが、土壌・培地等をもって植物の栽培育成・維持機能だけあれば、最低限は十分といえる品である。しかし昨今では生活形態・環境感性の変革によって、潜在的に鉢自体の存在感については煩わしく不必要という見方もしだいに生じてきている。【０００７】これまで折々試みられてきたテラコッタ鉢表面の装飾刻文やレリーフ模様等の加味は、実際にはかえって鉢の存在感を拡大する結果を招来しているといえる。
【課題を解決しようとする手段】
【０００８】本考案では植木鉢の存在感をほとんど減殺するための技法として、鉢を硬質の陶磁器の素材で基本製作し、外部表面に「植物の葉・草」に代表される、いかにも自然の植栽風景、鉢上部の植物の利基幹部であるかのような環境表現を緻密に転写転換プリントし、「そこに植木鉢があるかを当面感じにくいように環境埋没させた演出を実現する製品化」手法の創造。
【０００９】本考案の偽装植木鉢・偽装プランター（長形植木鉢）の構成上の特徴は製造結果で硬質となる陶磁器素材・またそのための焼き付け温度・平面平滑性となるように設計されている。その外側表面にはリアルな写真転写加工を行うが、使用目的に合致する「葉・草・原・幹・藻・森・水・雲・小動物」等の自然風景の部分写真を掲示採用する。
【００１０】本考案の対象製品は個人使用ないし、産業・公共使用をふくめての植木鉢、通称プランター（長形植木鉢）およびそれに準じる類似製品である。
【考案の効果】
【００１１】植木鉢の使用者がその機能性を除いては、鉢の存在感を視覚的にほとんど感じず、室内・屋外場面ともに自然の環境に鉢が埋没した印象の、一種快い新機軸が特質
【考案を実施する最良の形態】
【００１２】本考案の偽装植木鉢・偽装プランター（長形植木鉢）の構成上の特徴は製造結果で硬質となる陶磁器素材・またそのための焼き付け温度・平面平滑性となるように設計されている。その外側表面にはリアルな写真転写加工を行うが、使用目的に合致する「葉・草・原・幹・藻・森・水・雲・小動物」等の自然風景の部分写真を掲示採用する。
【実施例】
【００１３】表面が平滑な陶磁器の植木鉢に生け垣の写真を転写加工したもの
【産業上の利用可能性】本考案は、植木鉢の存在感を煩わしくなく自然に減殺する目的の製品演出技法であり、室内・屋外いずれの場面、単品・複数どちらの使用状況においても、主体である植物自体に注目視点が集中するため、環境を「安らぎの雰囲気」に凝縮する効果が大である。このため植物関連市場に新しい観点を投じて販売活性化をうながすだけでなく、都市内外の花壇演出、店舗での環境効果の向上、公共建築等においても大きな環境創造の支援品目となる演出手法として利用できる。
【図面の簡単な説明】
【図１】鉢正面図
【図１】
0003102840.tif 000003
(57)【要約】【課題】  本考案は、夏の高温防止と積雪の除去作業が楽にしかも簡単にする。【解決手段】本考案は、防水加工を施した断熱布地を使用したシートカバーであり、走行時には自動車の天井に取り付ける。長時間駐車するときはシートカバーを自動車の４面に夫々降ろすだけである。それにより車内の高温発生を防ぎ、冬は雪を落とす作業を楽にする。【選択図】  図１
0003102834.tif 000002
【実用新案登録請求の範囲】
【請求項１】
防水加工を施した断熱布地のカバーを、走行中は自動車の屋根に固定し、長時間の駐車時にはカバーを４面に被せておくだけで車内温度を抑えることが出来るカバーであり、冬には積もった雪を簡単に落とせるカバーである。
【考案の詳細な説明】
【技術分野】
【０００１】  本考案は、耐暑と除雪に役立つ自動車シートカバーに関するものである。
【考案の開示】
【考案が解決しようとする課題】
【０００２】夏      ３０度を越える高温の場合、炎天下に駐車した自動車の内部の温度は５０度から６０度に達しており、幼児の死亡事故が後を絶たない。
又、用事を済ませて再び自動車内に入ったときの異常な高温による苦痛。
冬      屋外に駐車して積雪に見舞われた場合、その除雪作業は大変な時間と労力が必要となり、特に夜中に降り積もった雪は朝が大変である。
又、エンジン機器の凍結トラブルなどで、夏と冬には問題点があった。
【課題を解決するための手段】
【０００３】本考案は、上述の目的を達成するために、防水加工を施した断熱布地を夏は高温、冬は積雪が予想される際に、自動車の屋根に取り付けておく。
走行する時は、シートを図のごとく▲１▼から▲４▼まで順に屋根に折畳んで、ベルトに固定する。除雪をする時は被せたシート毎に纏めて下に落とすことが出来る。
【考案の効果】
【０００４】夏は駐車中の車内温度が低くなることで不快感は解消し、幼児の脱水による事故も無くなり快適に自動車を使用することが出来る。
冬は大雪による除雪作業が楽に出来て時間が有効に活用できる。
当該シートの重さは約２キログラムのため、重量に影響はない。
【図面の簡単な説明】
【０００５】
【図１】本考案のシートカバーをした時の斜視図である。
【図２】本考案のシートカバーを折り畳んだ時の断面図である。
【符号の説明】
【０００６】    １      ボンネット部分
２      トランク部分
３      左側ドア部分
４      右側ドア部分
【図１】
0003102834.tif 000003
【図２】
0003102834.tif 000004
【手続補正書】
【提出日】平成16年2月5日(2004.2.5)
【手続補正１】
【補正対象書類名】明細書
【補正対象項目名】請求項１
【補正方法】変更
【補正の内容】
【請求項１】  屋根部分と左右ドア部分並びにボンネット部分、トランク部分を持つ自動車シートカバー
(57)【要約】      （修正有）【課題】使用場所の奥隅へおき、収納物を妨げない多目的脱臭・除湿・抗菌剤を提供する。【解決手段】三角柱の容器１の中に通気性のある紙２を巻き全形の竹炭３を並べ中央へ竹炭砕４を入れる。【選択図】図２
0003102832.tif 000002
【実用新案登録請求の範囲】
【請求項１】
竹炭を１００％使用の冷蔵庫、クローゼット、和ダンス。
洋ダンス、押入れ、下駄箱、食器棚の多目的脱臭・除湿・抗菌剤
【請求項２】
外容器を１辺が９０°の２等辺三角柱にする。請求項１に記載の脱臭・除湿・抗菌剤
【請求項３】
竹炭を製造する段階で煙から採取する竹酢液を竹炭に浸透させ抗菌力を高める請求項１又は２に記載の脱臭・除湿・抗菌剤
【考案の詳細な説明】
【技術分野】
【０００１】  本考案は三角柱容器を使用し奥隅へおき収納物を妨げない様にする純粋国産竹炭１００％使用の多目的脱臭・除湿・抗菌剤である。
【背景分野】
【０００２】  現在販売されている脱臭剤は科学物質。化学薬品を多数使用している。法的には問題はないのであるが今現在叫ばれている地球環境にやさしいとはいいきれない。
【０００３】  よって本考案は純粋国産竹炭を１００％使用する
【考案の開示】
【考案が解決しようとする課題】
【０００４】  従来の脱臭剤は角形で収納物を妨げる場合があり脱臭除湿抗菌に優れた竹炭１００％使用の製品がない
【課題を解決するための手段】
【０００５】  上記課題を解決するために容器を三角柱にして奥隅へ置ける様にする。材料の竹炭は三角柱容器へ全型竹炭を入れその中へ竹炭砕をいれ通気性のある紙で竹炭全体を包み竹炭粉のもれを防ぐ
【考案の効果】
【０００６】  竹炭は従来の脱臭剤より脱臭性・除涅性・抗菌性にすぐれ約４ヶ月効力を発揮する。４ヶ月を目安に容器ごと１００℃で５分間程度煮沸、乾燥すれれば３回まで再利用できる【０００７】  竹炭に竹酢液を浸透させる事により抗菌効果を高める。【０００８】  使用後、竹炭を砕いて家庭菜園プランター、畑、田へ散布すれば酸性をアルカり性に土壌改良する。
【考案を実施するための最良の形態】
【０００９】  容器を三角柱にして通気性のある紙で竹炭を包み竹炭粉のもれを防ぐ。【００１０】  竹炭を出来るだけ多く入れることにより脱臭・除涅・抗菌効果を高める。
【実施例】
【００１１】  冷蔵庫へひね漬けたくあん２Ｌ程度と本考案脱臭・除湿・抗菌剤を４ヶ月以上入れてもほとんど悪臭がしない【００１２】  クローゼット和ダンス・洋ダンスに本考案脱臭・除湿・抗菌剤をいれると洋服の虫食いを防ぎカビが発生しにくくなる。【００１３】  押入れに本考案脱臭除湿抗菌剤を入れるとふとん毛布等を乾燥させる。【００１４】  下駄箱に本考案脱臭除湿抗菌剤を入れると靴のカビを防ぎにおいを取る事が出来る。
【図面の簡単な説明】
【００１５】
【図１】  本考案脱臭剤の全体斜図である
【図２】  本考案脱臭剤の上面図である
【図３】  本考案脱臭剤の正面図である
【図４】  本考案脱臭剤の左右側面図である
【図５】  本考案脱臭剤の上下面フタである
【符号の説明】
【００１６】１  外容器
２  通気性のある紙
３  全形竹炭
４  竹炭砕
５  通気孔
【図１】
0003102832.tif 000003
【図２】
0003102832.tif 000004
【図３】
0003102832.tif 000005
【図４】
0003102832.tif 000006
【図５】
0003102832.tif 000007
【手続補正書】
【提出日】平成15年12月24日(2003.12.24)
【手続補正１】
【補正対象書類名】実用新案登録請求の範囲
【補正対象項目名】「請求項１」「請求項２」「請求項３」
【補正方法】変更
【補正の内容】
【実用新案登録請求の範囲】
【請求項１】
竹炭を１００％使用し外容器を１辺が９０°の２等辺三角柱にした脱臭除湿抗菌剤。
【請求項２】
竹炭を製造する段階で煙から採取する竹酢液を浸透させ抗菌力を高めた竹炭を用いた請求項１に記載の脱臭除湿抗菌剤。
(57)【要約】【目的】  普通のズボンに裏地布をつけ、防寒用の下着のいらない防寒用の温かいズボンである。他人の目から見ても普通のズボンとかわらないズボンを提供する。【構成】  普通のズボンにうすい防寒用の裏地布をつけたズボンであることを特徴とする。【選択図】    図  １【実用新案登録請求の範囲】
【請求項１】
ズボンの裏に布を縫いつけた普通のズボンで、温かく下着のいらないズボンでる。
【考案の詳細な説明】
【考案の詳細な説明】
【産業上の利用分野】
【０００１】  この考案は、普通のズボンに裏地布をつけた防寒ズボンである。
【背景技術】
【０００２】  従来、防寒用の上着で裏地布のついた上着はあった。また、ズボンは作業用とかスポーツ衣類のズボンはあった。
【考案が解決しようとする課題】
【０００３】  これらは次のような欠点があった。
（イ）  従来のズボンだと冬の時期は寒く、ズボンの下に防寒用の下着をはかなければならなかった。
（ロ）  ズボンの下に下着をはくと温かいが、動きにくく、もこもことする感じがして、特に作業をしている時は動作がしにくかった。
【課題を解決するための手段】
【０００４】  ズボンにうすい裏地布をつけ、特に風の通しにくい裏地布をつけると非常に温かく、動作も動きやすく、もこもことした感じもなく、他人から見ても普通のズボンをはいている用に見えた。また、うすい裏毛のついた布をつけると温かいズボンとなった。
本考案は、以上のような構成よりなる防寒ズボンである。
【作用】
【０００５】  防寒用の下着をつける事もなく、ズボンをはくだけで防寒用の温かいズボンである。
【実施例】
【０００６】  以下、本案の実施例について説明する。
（イ）  普通のズボンに裏毛のついたうすい布をつけたズボンを作り、はいてみると温かくズボンもはきやすかった。
（ロ）  防寒用の下着をはく手間もはぶけた。
（ハ）  他人から見られても普通のズボンをはいているようで、何ら変わらなく温かいズボンであった。
【考案の効果】
【０００７】  ズボンははきやすく、温かいズボンであった。
【図面の簡単な説明】
【図１】本考案の斜視図である。
【図２】本考案の一部を切りさいた図面である。
【符号の説明】
１  ズボン
２  表布
３  裏地布
４  ズボンのおりめ
５  ベルトとおし
６  チャック
７  布のぬいめ
【図１】
0003102836.tif 000002
【図２】
0003102836.tif 000003
【手続補正書】
【提出日】平成16年2月16日(2004.2.16)
【手続補正１】
【補正対象書類名】実用新案登録請求の範囲
【補正対象項目名】全文
【補正方法】変更
【補正の内容】
【実用新案登録請求の範囲】
【請求項１】
ズボン表布（２）の裏面全体に裏地布（３）を縫いつけたことを特徴とする防寒ズボン。
【手続補正２】
【補正対象書類名】明細書
【補正対象項目名】全文
【補正方法】変更
【補正の内容】
【考案の詳細な説明】
【技術分野】
【０００１】  この考案は、ズボンの裏面全体に裏地布を縫いつけた防寒ズボンに関するものである。
【背景技術】
【０００２】  従来、防寒用の上着で裏地布のついた上着はあった。また、ズボンの裏面の一部に裏地布を縫いつけたものもあった。
【考案の開示】
【考案が解決しようとする課題】
【０００３】  これらは、次のような欠点があった。（イ）  従来のズボンだと冬の時期は寒く、ズボンの下に防寒用の下着をはかなければならなかった。（ロ）  ズボンの下に下着をはくと温かいが、動きにくく、もこもことする感じがして、特に作業をしている時は動作がしにくかった。
【課題を解決するための手段】
【０００４】ズボンの表布（２）の裏面全体に裏地布（３）を縫いつけた防寒ズボンであり、ズボンの裏面にうすい裏地布を縫いつけ、或いは風を通しにくい裏地布を縫いつけると非常に温かく、動作もしやすく、もこもことした感じもなく、他人から見ても裏地布付きのズボンを履いている様には見えない。また、うすい裏毛のついた裏地布を縫いつけると温かいズボンとなった。  本考案は、以上のような構成よりなる防寒ズボンである。
【考案の効果】
【０００５】ズボン表布（２）の裏面全体に裏地布（３）を縫いつけ、防寒用の下着のいらない防寒ズボンであって、他人の目から見ても防寒用のズボンを履いている様には見えない体裁の良好な動き易い防寒ズボンを提供する。
【考案を実施するための最良の形態】
【実施例】
【０００６】  以下、本考案の実施例について説明する。（イ）図１、２に示す如く、ズボンの表布（２）の裏面全体に裏地布（３）を縫い付けた構成で、裏地布（３）は、薄い裏地布、風の通しにくい裏地布、或いは裏毛のついたうすい裏地布であり、これらをズボンの表布（２）の全体に縫いつけた防寒ズボンであり、該ズボンを履くと温かく、もこもことせず動きやすく作業がしやすく、しかもズボンは履きやすくなった。（ロ）この防寒ズボンを着用すると防寒用の下着を履く手間もはぶけた。（ハ）  他人から見られても防寒用のズボンを履いているようには見えず、何ら変わらない、体裁のよい温かい防寒ズボンが提供できる。
【図面の簡単な説明】
【０００７】
【図１】本考案のズボンの正面図である。
【図２】本考案のズボンの一部を切りさいた側面図である。
【符号の説明】
【０００８】    １  ズボン    ２  表布    ３  裏地布    ４  ズボンのおりめ    ５  ベルトとおし    ６  チャック    ７  布のぬいめ
(57)【要約】      （修正有）【課題】本考案は、車いすでの長時間の屋外走行を可能にし、走行時の衣服の汚れ防止、手の不衛生解消、１５ｃｍ．程度の段差解消、走行時の腰への負担軽減を図り、障害者の日常生活の向上につながるものとする。【解決手段】本考案は、前方大車輪５とすることによる操舵性、走行性の向上により、長時間の走行を可能にし段差解消に優れたものとなる。また、手廻駆動輪２及びハンドグリップ３により衣服の汚れ防止、手の不衛生を解消し、エアーキャスター６を用いることにより腰への負担軽減につながることから障害者の豊かな日常生活の向上に貢献できるものとする。【選択図】図１
0003102833.tif 000002
【実用新案登録請求の範囲】
【請求項１】
前方大車輪と手廻駆動輪の車いすにすることによって、ギヤ比において少ない力で屋外での長時間の走行を可能にし、１５ｃｍ．程度の段差が上がりやすく操作性及び走行性も著しく向上する前方大車輪手動伝達式車いす
【考案の詳細な説明】
【技術分野】
【０００１】  本考案は、長時間の車いすの走行を可能にし腰への負担軽減、衣服の汚れ防止、手の不衛生解消、１５ｃｍ．程度の段差解消等、障害者の日常生活の向上に貢献するため、車いすの大車輪を前方に装着し、エアーキャスターを後方に装着し、従来車輪に取り付けられているハンドリムを独立させハンドグリップで手廻駆動させる車いすに関するものである。
【背景技術】
【０００２】  従来の車いすの大半が、車輪一体型のハンドリムを手廻して走行するため車輪による衣服の汚れ、手の不衛生さは否めないものがある。また、キャスターが前部に取り付けられておりウイリーのできない方にとって段差は障壁となり自走が極めて困難である。また、従来のソリッドキャスターによる振動が腰への負担を増してしまうことから長時間の屋外走行は極めて苦痛を要する。
【考案の開示】
【考案が解決しようとする課題】
【０００３】  長時間の屋外走行を可能にし、衣服の汚れ防止、手の不衛生解消、１５ｃｍ．程度の段差解消、走行時の腰への負担軽減は、障害者の豊かな日常生活向上につながるものとなり、本考案により前述の欠点を解決しようとするものである。
【課題を解決するための手段】
【０００４】  本考案は、車いすの前方に大車輪を装着し、ハンドリムを独立させハンドグリップで手廻駆動輪を回転させることにより少ない力での走行を可能にし、衣服への跳ね上げ等の汚れを防止し、手の不衛生解消、段差の解消を図る。尚且つ、クッション性を高め、腰への負担軽減を図るためキャスターにはエアーキャスターを用いることにより問題点を解決している。
【考案の効果】
【０００５】  上述のように、本考案の前方大車輪手動伝達式車いすは、大車輪を前方に装着し、シンクロ機材及び歯車を用い独立した手廻駆動輪から大車輪へ力の伝達を図ることにより、少ない力で走行ができるため長時間の走行が可能となり、衣服への跳ね上げ等の汚れ防止、手の不衛生解消及び、エアーキャスターを用いることによる腰への負担軽減に役立つ。
【考案の実施するための最良の形態】
【０００６】  車いすを走行させるために手廻駆動輪のハンドグリップを回転させ、シンクロ機材を介して大車輪へ力の伝達を図り、少ない力で快適な走行を可能にさせる。手廻駆動輪には、スムースに力の伝達ができるように基軸となるハンドグリップを装着する。また、キャスターはソリッドタイプではなくエアーキャスターを採用する。
【実施例】
【０００７】  以下、添付図面に従って一実施例を説明する。１は車いす本体、２は１の車いすを走行させるための手廻駆動輪で、３は手廻駆動輪を回転させる基軸となるハンドグリップである。４は２の手廻駆動輪から５の大車輪へ力を伝達するためのシンクロ機材であり、５は操舵性、走行性の向上及び１５ｃｍ．程度の段差解消をすることができる大車輪である。これにより車いすの走行を快適なものとすることができる。【０００８】  ６は１の車いすのクッション性を高めるエアーキャスター部となっており、走行時の腰への負担を著しく軽減できるものとなる。【０００９】  本考案の一実施例は上述の如き構成からなるものであるから３のハンドグリップを回転させることにより２の手廻駆動輪から力の伝達を図り、４のシンクロ機材を介して５の大車輪と連動させることにより１の車いすを快適に走行させることができ、豊かな日常生活を送ることができる。
【図面の簡単な説明】
【００１０】
【図１】本考案の前方大車輪手動伝達式車いすの一実施例を示す側面図である。
【図２】本車いすの正面図である。
【符号の説明】
【００１１】  １  車いす本体
２  手廻駆動輪
３  ハンドグリップ
４  シンクロ機材
５  大車輪
６  エアーキャスター
【図１】
0003102833.tif 000003
【図２】
0003102833.tif 000004
【手続補正書】
【提出日】平成16年2月3日(2004.2.3)
【手続補正１】
【補正対象書類名】実用新案登録請求の範囲
【補正対象項目名】全文
【補正方法】変更
【補正の内容】
【実用新案登録請求の範囲】
【請求項１】
車いすの大車輪を前方に装着し、ハンドリムを大車輪から独立させハンドグリップ付手廻駆動輪を設け、大車輪に手回駆動輪と連動する歯車を設け、後方にエアーキャスターを用いた車いすにすることによって、少ない力で屋外での長時間の走行を可能にし、１５ｃｍ．程度の段差が上がりやすく腰への負担軽減につながり操舵性及び走行性も著しく向上する前方大車輪手動伝達式車いす
(57)【要約】      （修正有）【課題】硬めの繊維を過密に束ねて作ったブラシに、汚れたブラシを擦りつけ、それらの汚れを落とす装置に関するものである。【解決手段】硬めの繊維１を過密に束ね、ブラシを設ける。ブラシの底面に土台２を取り付ける。土台の底面に滑り止め（ゴム、吸盤等）３を設ける。【選択図】図１
0003102839.tif 000002
【実用新案登録請求の範囲】
【請求項１】
硬めの繊維（１）を過密に束ね、ブラシ（２）を設ける。
ブラシ（２）の底面に土台（３）を取り付ける。
土台（３）の底面に滑り止め（ゴム、吸盤等）（４）を設ける。
以上の如く構成された、ブラシ用くずとり器
【考案の詳細な説明】
【考案の詳細な説明】
【技術分野】
【０００１】この考案は、硬めの繊維（１）を過密に束ねて作ったブラシ（２）に、汚れたブラシを擦りつけ、それらの汚れを落とす装置に関するものである。
【背景技術】
【０００２】従来は、ブラシについた、汚れを効率的に取り除く有効な手段は存在しなかった。従って、使い古されたブラシのゴミは、爪楊枝等を使用して手で取り除くしかなかった。これは、ブラシの使用者にとって非常にわずらわしいことであった。
【考案が解決しようとする課題】
【０００３】従ってこの発明は、今まで爪楊枝等でしか取ることが出来なかった、ブラシについた汚れを、手間をかけずに取り除き、清潔なブラシを使いたいという使用者の強い要望にこたえるために考案されたものである。
【課題を解決するための手段】
【０００４】いま、その構成を説明すると、
（イ）硬めの繊維（１）を過密に束ね、ブラシ（２）を設ける。
ブラシ（２）の底面に土台（３）を取り付ける。
土台（３）の底面に滑り止め（ゴム、吸盤等）（４）を設ける。
以上の用に装置する。
【考案を実施するための最良の形態】
【０００５】本案は以上のような構造であるから、これを使用するときは、ブラシ（２）に汚れたブラシを擦りつければ、過密に束ねられた硬めの繊維と擦れて汚れをおとすことができる。
【考案の効果】
【０００６】したがって、手間をかけず効率よくブラシの汚れを落とすことができる。
【図面の簡単な説明】
【図１】本考案の正面図
【図２】本考案の側面図
【図３】本考案の実施例を示す斜面図
【符号の説明】
１は硬い繊維を束ねたブラシ
２は土台
３は滑り止め（ゴム、吸盤等）
【図１】
0003102839.tif 000003
【図２】
0003102839.tif 000004
【図３】
0003102839.tif 000005
(57)【要約】【課題】  本考案は、柄が長く着脱が自在の持ち手を付属したペット用餌皿であり使用者の足腰への負担を軽減する。【解決手段】  本考案は、餌皿本体１に持ち手２の引っ掛け部分３をかまし、支え部分４を餌皿本体１の底部に差し込み、握り５を利用して餌皿を置いたり、拾い上げたりできる。そのため使用者はしゃがんだり、大きく腰を曲げたりしないで餌皿本体１を置いたり、拾い上げたりすることができ、足腰の負担が格段に軽減する。また逆の手順で餌皿本体１から持ち手２は取り外せるので、餌皿を洗浄する時はわずらわしさもなく、保管時はスペースもとらない。【選択図】図１
0003102803.tif 000002
【実用新案登録請求の範囲】
【請求項１】
柄の長い着脱自在の持ち手を設けたところを特徴とするペット用餌皿
【考案の詳細な説明】
【技術分野】
【０００１】  本考案は、柄が長い着脱自在の持ち手を設けた、ペット用餌皿に関するものである。
【背景技術】
【０００２】  従来のペット用の餌皿の形状は図６に示すように、持ち手や把っ手は何もなく、犬やネコなどのペットにエサや水を与えたり、また片付けたりする場合、人間は腰を曲げ、かがみ込んで餌皿を地面や床に置いたり、拾いあげたりしていた。
【考案の開示】
【考案が解決しようとする課題】
【０００３】  犬や猫を飼育する高齢者や足腰が不自由な方、また一般の方にとって餌皿を地面や床に置いたり、拾いあげたりする時、足腰への大きな負担をともなっていた。この考案はペット用餌皿の機能に、楽に置いたり拾い上げることのできる機能を一体化させ、前述の欠点を解決しようとするものである。
【課題を解決するための手段】
【０００４】  本考案はペット用餌皿本体に柄の長い持ち手を設け、かつその持ち手はペット用餌皿本体と着脱自在であることを特徴とする。
【考案の効果】
【０００５】  上述のように、本考案はペット用餌皿に着脱自在の柄の長い持ち手を設けたことで  楽な姿勢で餌皿が置きやすく、また拾い上げやすいので、腰や膝への負担が格段に軽減される。また、持ち手は着脱自在なため、餌皿の洗浄時や保管時などは取り外しておくことでわずらわしさもない。
【考案を実施するための最良の形態】
【０００６】  以下、添付図面に従って一実施形態を説明する。
ペット用餌皿本体１の一部に設けた、持ち手２をかませられる程の窪みＡの上部に、持ち手２のなか程の高さに設けた二本の下向きの「フック」状の引っ掛け部分３をかます。【０００７】  持ち手本体２を餌皿１とは反対側に倒すようにして、持ち手２の下部に設けたヘラ状のささえ４を餌皿本体１の底部に差し込む。てこの原理の応用によりペット用餌皿１と持ち手２が固定し、持ち手２の握り５を持つことにより、楽に安定して餌皿１を置いたり、拾い上げたりすることが可能となる。【０００８】  持ち手本体２を餌皿１側に倒すようにして、持ち手２の下部のささえ４を餌皿本体１の底部から抜き、引っ掛け部分３をはずすことにより餌皿本体１と持ち手２が分かれる。
餌皿本体１と持ち手２との比重は、持ち手２より餌皿本体１のほうを適度に重くする。【０００９】  図面３を参照。持ち手２本体は餌皿１の置かれている地面または床に対し垂直ではなく、餌皿本体１とは反対側に適度に傾いた状態でバランスがとれている。
【実施例】
【００１０】  以下、添付図面に従って一実施例を説明する。１はプラスティック等適宜素材により一体化形成された餌皿本体、２は耐久性のプラスティック等適宜素材により形成された持ち手本体。３は餌皿本体１の窪みＡの上部に引っ掛かり得るような適当な形に形成して、同じく餌皿本体１の窪みＡの上部に引っ掛かるよう持ち手本体２の適当な高さに設ける。３を餌皿本体１の窪みＡの上部に引っ掛ける。【００１１】  ４は適度な薄さに形成されたヘラ状またはそれに凖ずる適当な形状で、餌皿本体１の底部を支える。持ち手本体２を餌皿本体１とは反対側に倒すように４を餌皿本体１の底部に差し込む。５は握り部分で持ちやすいような形状で持ち手本体２に対し適当な持ちやすい角度をつけている。【００１２】  てこの原理の応用により、餌皿本体１と持ち手２が固定して、５の握り部分を利用して持つことで安定した状態となる。それにより足腰の負担を格段に軽減して餌皿本体１を地面や床に置いたり、また拾い上げたりが可能となる。【００１３】  餌皿本体１と持ち手２の分別方法は、持ち手２を付属した状態の餌皿本体１が地面や床に置かれた状態、または拾い上げられた状態において、持ち手２を餌皿本体１側に倒すようにする。餌皿本体１の底部から持ち手２の下部の支え４を抜き、持ち手２の引っ掛け部３を餌皿本体１の窪みＡの上部から外し、餌皿本体１と持ち手２が分かれる。
【図面の簡単な説明】
【００１４】
【図１】餌皿本体と持ち手  正面
【図２】餌皿本体と持ち手  後部
【図３】餌皿本体と持ち手  横
【図４】餌皿本体
【図５】持ち手
【図６】従来の餌皿の一例
【符号の説明】
【００１５】１餌皿本体
２持ち手本体
３引っ掛け部
４支え部
５握り
【図１】
0003102803.tif 000003
【図２】
0003102803.tif 000004
【図３】
0003102803.tif 000005
【図４】
0003102803.tif 000006
【図５】
0003102803.tif 000007
【図６】
0003102803.tif 000008
(57)【要約】      （修正有）【課題】雨天または途中降雨のゴルフプレー時，雨水，水溜りの水や芝の水によりズボンの裾から靴下へ，さらに靴下から靴の中への水の浸透による不快感を解消する。【解決手段】雨水の靴への浸透を防止するため雨用カバー上部はゴム５により膝下で固定し，ゴム６によりズボンの裾を足首で固定する。すなわちゴム６で足首を絞めつけ，さらに靴の接続用ホック３とカバーの接続用ホック４を止めることによりズボンの裾を靴のトップライン部と同位置もしくは上部となるようにすることにより，ズボンの裾に起因する雨水の浸透の防止が可能となる。【選択図】図１
0003102804.tif 000002
【実用新案登録請求の範囲】
【請求項１】
靴と膝下から靴の甲部から踵部まであるプラスチックフィルム，防水加工を施した布または撥水性を有する繊維からなる雨用カバーであり，靴接続部３と雨カバー接続部４を接続固定し，靴とカバーを一体化したことを特徴とする雨用カバー付きゴルフシューズ。
【考案の詳細な説明】
【技術分野】
【０００１】  本考案は，雨天時のゴルフプレーまたはゴルフプレー途中の降雨時にズボンの裾，靴下およびゴルフシューズの中が濡れるのを防止するものである。
【背景技術】
【０００２】  雨天または途中降雨のゴルフプレー時，雨濡れ対策としてはレインコート，レインズボンの着用がある。靴についても防水処理が施されているものがある。また，降雨時にズボンの裾，靴下およびゴルフシューズの中が濡れるのを防止するためのゴルフシューズカバーの考案は多くある。
【考案の開示】
【考案が解決しようとする課題】
【０００３】  従来の技術ではゴルフシューズと雨用カバーが一体ではなく，ゴルフシューズ用防水カバーまたはシューズカバーとして単独で機能を有するようにしているためカバーの着用が困難であったり，携帯するには不便であったり，雨用カバー脱着時雨用カバーの汚れによる不快感また防水カバーを着用しているにもかかわらず雨水，水溜りの水や芝の水によりズボンの裾から靴下へ，さらに靴下から靴の中への水の浸透による不快感がある。
【課題を解決するための手段】
【０００４】  雨水の靴への浸透を防止するため雨用カバー上部はゴム５により膝下で固定し，ゴム６によりズボンの裾を足首で固定する。すなわちゴム６で足首を絞めつけ，さらに靴の接続用ホック３と雨用カバーの接続用ホック４を止めることによりズボンの裾を靴のトップライン部と同位置もしくは上部となるようにすることにより，ズボンの裾に起因する雨水の浸透の防止が可能となり，また雨用カバーの汚れを防止できるため不快感の解消が可能となる。
【考案を実施するための最良の形態】
【０００５】  靴のトップラインの下に雨用カバー接続のための接続用ホックまたは面テープを３ヵ所以上設ける。プラスチックフィルム，防水処理を施した布または撥水性を有する繊維からなる雨用カバーにも靴に接続するための接続用ホックまたは面テープを設ける。雨用カバーはゴム５により膝下で固定可能とし，ゴム６によりズボンの裾を止め，さらに靴のトップライン部付近と雨用カバーに設けた接続用ホックまたは面テープの接合によりズボンの裾を靴からの分離が完全となる。雨用カバー本体２により降雨および雨カバー外側に沿う水滴の浸入の防止が可能である。【０００６】  雨用カバーの着用はファスナーまたは面テープからなる接合部８を接合することにより容易に脱着が可能である。
【実施例１】
【０００７】  靴のトップラインの下に雨用カバー固定のための接続用ホック３を３ヵ所設ける。撥水性を有する繊維からなる雨用カバーにも靴に固定するための接続用ホック４を３ヵ所設ける。雨用カバーはゴム５により膝下で固定し，ゴム６によりズボンの裾を止め，さらに靴のトップラインと雨用カバーに設けた接続用ホックにより接合し，ズボンの裾を靴のトップライン７近傍に上げる。雨用カバーの着用は接合部８のファスナーを接合することにより着用する。ズボンの裾に起因する靴内部への雨水の浸透は防止が可能であった。
【産業上の利用可能性】
【０００８】  本考案は，雨天時のゴルフプレーまたはゴルフプレー途中降雨時雨，水溜りの水や芝の水によるズボン裾，靴下の濡れおよびズボンの裾から靴下に起因する靴の中の濡れを防止するためのものである。
【図面の簡単な説明】
【０００９】
【図１】本考案のゴルフシューズと雨用カバー実施例側面略図
【図２】本考案の雨用カバー装着実施例略図
【符号の説明】
【００１０】      １  ゴルフシューズ本体
２  雨用カバー本体
３  ゴルフシューズに設けた雨用カバー接続用ホック
４  雨用カバーに設けたゴルフシューズとの接続用ホック
５  雨用カバーを膝下で固定するためのゴム伸縮部
６  雨用カバーを足首で固定するためのゴム伸縮部
７  トップライン
８  ファスナー取り付け部
【図１】
0003102804.tif 000003
【図２】
0003102804.tif 000004
(57)【要約】      （修正有）【課題】炭素繊維飛散防止に関するものである。【解決手段】綿状の炭素繊維（ハ）をシート状に構成したものを高密度で織られた微細な通気性を持つフィラメント系布（ロ）で包み、さらに全体をキルティングすることにより綿状の繊維の横ズレと飛散を防止し、洗濯をも容易にしたことを特徴とする炭素シートの構成である。【選択図】図２
0003102805.tif 000002
【実用新案登録請求の範囲】
【請求項１】
綿状の炭素繊維をシート状に構成し、全体を微細な通気性を持つ高密度フィラメント布によって被覆した事を特徴とする飛散しない炭素繊維シート。
【請求項２】
綿状の炭素繊維をシート状に構成した物を、全体を微細な通気性を持つ高密度フィラメント布によって被覆し、それをキルティングしたことを特徴とする請求項１記載の飛散しない炭素繊維シート。
【考案の詳細な説明】
【技術分野】
【０００１】本考案は炭素繊維の飛散の防止に関するものである。
【背景技術】
【０００２】従来、炭素繊維は主に建材や電車等に使われていたが、一般寝具や家庭用品などに用いる場合、炭繊維の粉末の飛散が問題となり、広く活用するには至っていない。又、一部で不織布等で被覆し使用されているが、これだけでは飛散を止めることができていない。そのため、炭素繊維単体ではその取り扱いが難しく、充分なものとはいえないのが現状である。
【考案の開示】
【考案が解決しようとする課題】
【０００３】この考案は炭素繊維を従来のふとんの中綿として加工した場合に、生地布目より細かな炭素の綿毛が飛散してしまい、病院用、介護用をはじめ、健康、保健用の寝具または一般衣類としては不向きであったものを、飛散防止処置を得ることで解決課題とするものである。
【課題を解決するための手段】
【０００４】この考案の炭素繊維を高密度で織ったポリエステル、ナイロンタフタ系（例えば５０ｄｔ以下のごく細い糸）のフィラメント系布で全体を覆い、キルティング加工を施すことにより通気性を有しながら綿毛の飛散を防止することができるため、外部や人体に対する汚損がない。また炭素繊維は軽くて温かい特性を有するので、この方法で布団や衣類にした時にその特長を損なうことがなく、汎用性に富むものである。
【考案の効果】
【０００５】この考案の炭素繊維シートは高密度フィラメント布で覆うことにより、素材の持つ本来の保温、消臭効果を失うことなく、更にキルティングすることで繊維の移動、ズレを防ぎ、これまで困難とされていた洗濯を可能にした。このことから、より衛生的になり好適となった。
【考案を実施するための最良の形態】
【０００６】図１はこの考案の炭素繊維綿を上下よりフイラメント系糸で覆った図であり、シートの周辺（イ）は高周波シール機やインターロックで縫製し、中綿の端口からの飛散を防止したものである。
図２は図１にキルティングを施した断面図である。（ハ）のキルトをすることにより、中綿のズレを抑え洗濯時の片寄りの防止を可能にした。（ロ）の面からの綿毛の飛散は、高密度で織ってあるフィラメント布で防止することができる。（イ）の切り口は、高周波シール機やインターロックの縫製で内部からの綿毛の飛散を防止することができる。
図３はキルティングの升の大きさは２センチメートル〜２０センチメートル位まで可能であるが、用途に応じてサイズを変えても機能性に変更はない。この場合キルトデザインとしては、正方形やダイヤ型キルト（ニ）の方が中材のズレの抑えには洗濯上適している。
【図面の簡単な説明】
【０００７】
【図１】この考案のシート単体の平面図
【図２】この考案の図１にキルトを施した断面図
【図３】２の図の拡大平面図
【符号の説明】
【０００８】（Ａ）フィラメント布で上下より繊維をはさんだ平面図
（イ）フィラメント布の端口
（ロ）フィラメント布の表面
（ハ）炭素繊維
（ニ）ダイヤ型キルト
【図１】
0003102805.tif 000003
【図２】
0003102805.tif 000004
【図３】
0003102805.tif 000005
(57)【要約】【課題】相互キャパシタンス（静電容量性パラメータ）と相互インダクタンス（電磁誘導性パラメータ）との調整が従来に比べて容易であり、所望の特性を得やすくする。【解決手段】主ラインに結合するサブラインの形状が、前記主ラインに対して間隙をもって平行に配置された結合ラインと、この結合ラインの両端がタブとなるように、該両端に対して距離を持ち、且つ結合ラインから直交し、前記主ラインとは離れる方向へ延長した引出しラインとから構成されている。【選択図】      図１
0003102891.tif 000002
【実用新案登録請求の範囲】
【請求項１】
主ラインに結合するサブラインの形状が、
前記主ラインに対して間隙をもって平行に配置された結合ラインと、
この結合ラインの両端がタブとなるように、該両端に対して距離を持ち、且つ結合ラインから直交し、前記主ラインとは離れる方向へ延長した、引出しラインと、からなることを特徴とする高周波回路の結合装置。
【請求項２】
前記サブラインは鳥居型であることを特徴とする請求項1記載の高周波回路の結合装置。
【考案の詳細な説明】
【技術分野】
【０００１】
本考案は、高周波回路の結合装置の構造に関する。
【背景技術】
【０００２】
高周波回路の結合装置は、基板上にアルミ金属などで形成された主ラインの途中に設けられる。従来は、主ラインに対して、結合ライン（サブライン）の形状は、主ラインに平行な平行部分と、この平行部分の端部から、それぞれ直角に主ラインから離れる方向へ延在する脚部分とから構成されている。
【０００３】
このような結合装置の場合、主ラインとこの主ラインに平行な結合ラインとの距離、結合ラインの長さ、主ラインのパターン幅、結合ラインのパターン幅など、により相互キャパシンタンス、相互インダクタンスが変化し、カップリング量が決まる。従来の結合装置であると、主ラインのパターン幅と、結合ラインのパターン幅とが同じの場合しか、安定化されていない。
【考案の開示】
【考案が解決しようとする課題】
【０００４】
しかし、主ラインのパターン幅と、結合ラインのパターン幅とが常に同じ幅でよいとは限らない。小形化、部品配置などに応じて、結合ラインの幅を小さく設計する場合もある。また主ラインがアンテナに電力を供給するパワーラインとして用いられている場合、その電力を検出するサブラインは小さい形状でよい。このときは、所望のカップリング特性を得るために、カットアンドトライにより結合ラインの一部を修正したり、主ラインとの間隔を調整している。しかしながら、アイソレーション特性は、相互キャパシタンスと相互インダクタンスに非常に敏感であり、これらの要素が同時に変化するために、カットアンドトライ作業を困難なものとし、多大な時間も必要としている。
【０００５】
そこでこの考案では、相互キャパシタンス（静電容量性パラメータ）と相互インダクタンス（電磁誘導性パラメータ）との調整が従来に比べて容易であり、所望の特性を得やすい高周波回路の結合装置を提供することを目的とする。
【課題を解決するための手段】
【０００６】
この考案では、主ラインに結合するサブラインの形状が、この主ラインに対して間隙をもって平行に配置された結合ラインと、この結合ラインの両端がタブとなるように、該両端に対して距離を持ち、且つ結合ラインから直交し、前記主ラインとは離れる方向へ延長した、引出しラインとからなるものである。
【考案の効果】
【０００７】
上記のようなサブラインの形状であると、タブを調整した場合、同じ調整量であっても相互キャパシタンスに与える影響が大きく、相互インダクタンスに与える影響は小さい。つまりパラメータを比較的独立して調整し易い。
【考案を実施するための最良の形態】
【０００８】
以下、この考案の一実施の形態を図面を参照して説明する。図１において、１０は、プリント基板である。２１は、主ラインでありパターン印刷されている。さらに２２は、サブラインである。ここで、サブライン２２の形状は、
主ライン２１に対して間隙をもって平行に配置された結合ライン２２Aを有する。さらにこの結合ライン２２Aの両端がそれぞれタブ２２B,２２Bとなっている。さらに両端に対して距離を持ち、且つ結合ライン２２Aから直交し、主ライン２２Aとは離れる方向へ延長した、引出しライン２２C,２２Cを有する。引出しライン２２C,２２Cにはテスタ、検出回路などが接続される。
【０００９】
上記の構造の結合装置であると、タブ２２B,２２Bにより、タブのない場合に比べて、相互キャパシタンスは増加するが、相互インダクタタンスの変化はキャパシタンスの変化に比べて小さい。このために、ほぼ独立してパラメータを調整でき、特にアイソレーション特性のチューニングがおこない易い。
【図面の簡単な説明】
【００１０】
【図１】本考案の一実施の形態を示す図。
【符号の説明】
【００１１】
１０…基板、２１…主ライン、２２…サブライン、２２A…結合ライン、２２B…タブ，２２C…引出しライン。
【図１】
0003102891.tif 000003
(57)【要約】【課題】干物にできる魚を従来より低濃度塩水で処理しても日持ちがよくて食べ易く、調理中も食後も廃棄物を出さない干物であって運搬中及び店頭に陳列中も衛生的な干物で、１個の包装中に複数種類の干物を好みに合わせて選択組合せできる包装干物製品を提供する。【解決手段】魚肉のみとした切り身１Ａ，１Ｂを低塩度塩水に短時間浸漬し、低温度で長時間乾燥した干物２を台板３上に載せた状態で包装袋４に入れて真空包装することによって切り身干物を固定する。【選択図】図１
0003102895.tif 000002
【実用新案登録請求の範囲】
【請求項１】
魚体の頭、尾及び骨などを除去した切り身を低塩水浸漬後に低温乾燥した切り身干物が、台板上に２枚以上載置されて全体が合成樹脂フィルムによって真空包装されたことを特徴とする包装切り身干物。
【請求項２】
台板上に異種魚の切り身干物が組合わされて包装されてなる請求項１記載の包装切り身干物。
【考案の詳細な説明】
【技術分野】
【０００１】
この考案は、魚肉のみを切り身として低塩浸漬して乾燥した切り身干物を真空包装してなる包装干物に関する。
【背景技術】
【０００２】
一般に魚の干物は、内臓を取出した魚体を高濃度塩水（塩度計による塩度１６度〜１８度）に浸漬して常温又は温風乾燥して製造されているもので日持ちはよいが、塩分が多い他、消費者は保存できるに拘わらず同時に数種の干物を購入することは稀である。
更に、魚の干物は、尾と頭が付いた状態で製造、運搬及び販売されるので不経済であるばかりか、食卓にもその姿で提供されるから食事中も食べ易くない上、食後の廃棄物も多くなり不便である。
【０００３】
本出願人は、このような従来干物の欠点を解消することを目的として、尾と頭を切り落として三枚に下ろした半身又は切り身に手持ち部付の竹串を挿通した串刺し干物を提供した。（特許文献１参照）
この製品は、魚に手を触れることなく調理したり食することができ、串以外に廃棄物もでないので便利であるが、賞味期限が比較的短くなる欠点がある。
【０００４】
【特許文献１】実用新案登録第３０７７９３５号公報
【考案の開示】
【考案が解決しようとする課題】
【０００５】
本案は、低塩処理であるに拘わらず日持ちがよくて食べ易い上、複数の干物を好みに合わせて選択できて小家族に好適な干物製品を提供するものである。更に、家庭内や食卓に廃棄物を残さない干物を提供するものである。
【課題を解決するための手段】
【０００６】
本案は、頭と尾及び骨などを除去した魚肉を水洗して適当な大きさに切り分けて切り身とした後、塩度４〜６度の塩水に短時間浸漬して乾燥機内において低温で長時間乾燥させる。この切り身干物は、半生身状であって台板上に２枚以上載置して全体を合成樹脂フィルム又は袋に挿入して真空包装するものである。
魚種は、従来干物にできるものなら特に限定なく使用できる他、切り身とするから魚体の大小を問わず使用できる。
浸漬時間は、１０分程度で十分であり、乾燥は、３〜５℃で６〜８時間乾燥させることが好ましい。
台板は、発泡スチロール薄板など防水性の材料なら何でもよいが切り身が２枚以上載せられる大きさとする。
台板上に載せる魚は、種々選択組合せできる上、真空包装によって干物と台板及びフィルムは一体になり、干物は固定される。
【考案の効果】
【０００７】
本案干物は、切り身になっているから低濃度塩水による短時間浸漬であっても塩分を十分浸透させることが可能で使用する塩量が少なくて済むから経済的である。また、これによって乾燥時の水切れが向上する他、魚肉の変色が少なくなる効果もある。
本案包装干物は、真空包装されているから運搬及び店頭陳列中も雑菌による影響がなく衛生的であり、日持ちがよい上、真空包装によって固定されるので異種魚を隣接させて組合わせた包装干物を提供できる。しかも消費者は廃棄物処理をしなくて済む利点がある。
【考案を実施するための最良の形態】
【０００８】
原料となるサンマ、エボダイ、サバなどの魚の頭、尾ヒレを切り落とし、更に中骨を除いて水洗して魚肉のみとし、適当な大きさの切り身１Ａ，１Ｂとする。
この切り身を塩度計による塩度５の塩水に１０分間浸漬した後、温度３〜５℃の乾燥機内で８時間乾燥する。
乾燥干物２を２枚又は２種以上を、発泡スチロール台板３上に整列させてからポリエチレンなどの合成樹脂製袋４内に挿入して常法により真空包装して製品とする。
【図面の簡単な説明】
【０００９】
【図１】実施例品の斜視図
【符号の説明】
【００１０】
１Ａ，１Ｂ  切り身
２  干物
３  台板
４  真空包装袋
【図１】
0003102895.tif 000003
(57)【要約】      （修正有）【課題】今日使われている傘は、１人１本用である。２人でも使用できる拡がったり縮んだりする傘を提供する。【解決手段】上側の羽布4の下に、下側の羽布5を設ける。下側の羽布は、スライドし、外方へ、又、内方へ動く。下側の羽布は、傘の骨6の中の芯7に捲かれ、骨の中に接続されている。傘を最大に開くと、ピアノ線が骨の中のものを押し、下側の羽布が外方へ動く。又、手で閉じると、外側の羽布は中心に向かって動き、傘は縮んで１人用半開きとなる。これにより親指１本の操作で、今迄のものより面積で約４０％広く用いることができる。【選択図】図３
0003102900.tif 000002
【実用新案登録請求の範囲】
【請求項１】
上側の本体羽布の下側に、傘の骨に接続された下側の羽布があり、該骨に沿って該下側の羽布が、外方へ、又内方へスライドし、拡がったり縮んだりすることが可能な傘。
【考案の詳細な説明】
【技術分野】
【０００１】
本考案は、傘に関する。
【背景技術】
【０００２】
今日使われている傘は、１人１本の考えで作られ、また、使われて来た。２人１本でさすには少々無理があり、本考案は、親指１本の操作で、今迄のものより、面積で約４０％広く用いることができる。従来の傘では、考えられない程広く用いることができ、長い間濡れる度に皆で求めていたものであると思われる。
【特許文献１】特記すべき先行文献なし。
【非特許文献１】傘は折り畳み式とかプッシュ式で即時に開く等あるが、他には余り改良の余地がなく、文献としては余りない。
【考案の開示】
【考案が解決しようとする課題】
【０００３】
本考案は、２つに分れた羽布の、下の羽布がスライドして伸縮する傘を提供する。
【課題を解決するための手段】
【０００４】
上の羽布の下を、下の羽布がスライドして拡縮する。２人用に広くも使え、１人用に狭くも使える傘である。スライドする部分は透明度の長持ちするビニールでもよく、且つ交換可能である。
【考案の効果】
【０００５】
傘の広さが広くなったり、狭くなったりする。２人で１本の傘に入る時は、広くして用い、１人の時は、狭くして用いることができる。
傘を全開すると、下の羽布と、芯がスライドして拡がり、傘が広くなり、閉じると、半開きになり、１人用として用いることができる。
【考案を実施するための最良の形態】
【０００６】
傘の軸１には、ストッパーが２段式につき、上のストッパー２は、傘の全開の時のもので、下のストッパー３は、半開きの時に用いるものである。
４は、上の本体羽布である。スライドする下の羽布５は、傘の骨６の中で、芯７に捲かれてあり、円形のフレーム８の下の開口９から外に出て左右に拡がる。
【０００７】
使用者が手で、基軸部分１０を一杯に上げると、孔がストッパー２迄行き、それにより、ピアノ線１１で押されて、芯７が動き、下の羽布５がそれと一緒に動き、傘が全開となる。
【０００８】
下のストッパー３にまで基軸部１０を落とすと、ピアノ線１１が引っ張り、芯と下の羽布５が引かれ半開きとなる。
【０００９】
骨６の部分を説明すると、円形の傘の骨６の中にフレーム８があり、その中に芯７がある。下の羽布５は芯に捲かれ、フレーム８と芯７の間にあり、下部の骨６と、フレーム８の開口より外へ出て、左右の羽布となる。
【００１０】
図４は、スポーク１２とピアノ線の接合する部分の説明であり、傘の骨の中をピアノ線１１が通っていてスポーク１２と接合する。
【産業上の利用可能性】
【００１１】
今まで１人１本という考えで作られていた傘が、拡くして２人で１本でも適宜使えるもので、大いに利用されるものである。
【図面の簡単な説明】
【００１２】
【図１】正面図である。
【図２】断面図である。
【図３】上と下の羽布のある部分の骨の付近の断面図である。
【図４】スポークの接合部分の断面図である。
【符号の説明】
【００１３】
１  軸
２  上のストッパー
３  下のストッパー
４  上の羽布
５  下の羽布
６  骨
７  芯
８  フレーム
９  開口
１０  基軸部
１１  ピアノ線
１２  スポーク
【図１】
0003102900.tif 000003
【図２】
0003102900.tif 000004
【図３】
0003102900.tif 000005
【図４】
0003102900.tif 000006